(57)【要約】【課題】薄型ディスプレイの着脱が極めて簡単且つ確実に行うことができ、しかも、薄型ディスプレイの支持角度の調整や、取付け位置を調整する作業も容易な薄型ディスプレイ用天井吊り装置を提供する。【解決手段】天井面に固定する天井固定体１０と、該天井固定体１０に着脱自在に垂設される支柱１と、支柱１の下端部に装着されるクランプ体２０とを設ける。一方、クランプ体２０の後面がわに装着する固定枠３０に対し、クランプ体２０の前面がわに装着する取付枠４０の俯角角度を調整する。薄型ディスプレイの背面に予め装着した装着枠体５０を前記取付枠４０に着脱自在に装着する。【選択図】図９
2006053211.tif 000002
【特許請求の範囲】
【請求項１】
天井面に固定する天井固定体と、該天井固定体に着脱自在に垂設される支柱と、支柱の下端部に装着されるクランプ体とを設け、一方、クランプ体の後面がわに装着する固定枠に対し、クランプ体の前面がわに装着する取付枠を俯角角度調整自在に設けると共に、薄型ディスプレイの背面に予め装着した装着枠体を取付枠に着脱自在に連結することを特徴とする薄型ディスプレイ用天井吊り装置。
【請求項２】
前記クランプ体は、前記支柱の下端部に設けた係止具の上部に係止する係止環と、該係止環から高さ調整ねじを介して支持され前記支柱が貫通する枠体とを有し、該枠体の側面から支柱方向に押圧付勢する固定ボルトで支柱に固定される請求項１記載の薄型ディスプレイ用天井吊り装置。
【請求項３】
前記固定枠は、前記支柱が貫通する天板と、該天板に設けられる背面板及び側板と、前記クランプ体の枠体に固定する固定具とを有し、前記取付枠を角度調整自在にネジ止めするネジ孔を側板に設けた請求項１又は２記載の薄型ディスプレイ用天井吊り装置。
【請求項４】
前記取付枠は、前記固定枠の側板に重合する側板と、該側板に設けられた前面板と、該前面板の前面左右に一対設けられた支持杆とを有し、側板に設けた角度調整ネジにて装着枠の俯角角度を自在に調整するように設けると共に、前記装着枠体の上部に設けた上部係止ピンを係止する係止凹部と、装着枠体の下部に設けた下部係止ピンを固定する固定具とを支持杆に設けた請求項１乃至３いずれか記載の薄型ディスプレイ用天井吊り装置。
【請求項５】
前記装着枠体は、薄型ディスプレイの背面にネジ止めする枠体と、前記取付枠の支持杆に重合する重合杆とを有し、前記支持杆の係止凹部に係止する上部係止ピンと、前記支持杆に設けた固定具にて固定される下部係止ピンとを重合杆に設けた請求項１乃至４いずれか記載の薄型ディスプレイ用天井吊り装置。
【発明の詳細な説明】
【技術分野】
【０００１】
本発明は、薄型のテレビモニターやコンピュータディスプレイ（以下、薄型ディスプレイと称する）を、天井面から吊り下げ設置する際に使用する薄型ディスプレイ用天井吊り装置に関する。
【背景技術】
【０００２】
従来、この種の薄型ディスプレイ吊り下げ装置は、天井から吊り下げた支柱の下端部にベースボックスを装着し、このベースボックスに薄型ディスプレイをネジ止めする構造のものが多く使用されている。この種の構造では、支柱の側面にネジ加工を施し、このネジにネジ止めするナットを使用してベースボックスを装着している。
【０００３】
一方、特許文献１には、薄型ディスプレイの一種であるプラズマディスプレイパネル（ＰＤＰ）の装着作業を容易にするために工夫されたＰＤＰ取付装置が記載されている。この取付装置の一実施例として、天井に取付けるベース板と、このベース板に垂設した回転ポールと、この回転ポールに装着する取付金具と、この取付金具の下段に回転ポールのスパイラル溝に螺合する回転金具を備えた装置が記載されている。そして、ＰＤＰを回転金具に装着するには、この回転金具とＰＤＰとをネジ止めする構造になっている。
【特許文献１】特開２００１−２８２１３１号公報
【発明の開示】
【発明が解決しようとする課題】
【０００４】
前述の如く支柱にナットをネジ止めしてベースボックスを装着する構造では、この支柱の径が太くなっているために、大型のナットが必要になる。このような大型ナットは、通常、電気配線設備工事には用いられないので、これまでは水道管等の配管工事に用いる大型のナットが代用されていた。しかしながら、このような特殊なナットを用いるためには、このナットを締め付ける工具もまた配管工事用のものにならざるを得ず、作業者は配線工事用の工具の外に、配管工事用の工具も携帯する必要があった。
【０００５】
また、大型のナットを締め付ける配管工事用の工具は、工具自体も大型になっているので、狭い場所での作業が多い配線工事などでは扱いが困難になり、確実に締め付けることができない虞もある。
【０００６】
しかも、装着後において、この大型のナットの回転とともにベースボックスや薄型ディスプレイも回転するので、ナットが緩むと薄型ディスプレイが回転したり、落下する危険性もある。
【０００７】
更に、支柱に装着したベースボックス等に薄型ディスプレイをネジ止めする構造では、薄型ディスプレイを着脱するたびにネジを外し、再度取付ける際に再びネジ止めする作業になる。このため、薄型ディスプレイの着脱作業に多くの手間を要するものであった。しかも、薄型ディスプレイの画面が大きくなるほど重量が増すので、大型の薄型ディスプレイを装着する場合は相当の重量を支えながら作業することになり、取付け作業が極めて困難になっている。このため、大型の薄型ディスプレイの落下に伴なう事故も多くなっている。
【０００８】
また、支柱に装着したベースボックス等に薄型ディスプレイをネジ止めする構造では、薄型ディスプレイの支持角度の調整や、取付け位置を調整する作業も困難になっていた。
【０００９】
一方、特許文献１の如く、回転ポールに取付金具を装着し、この取付金具に回転金具を備えた構造では、回転金具を介してＰＤＰの角度調整等は可能になっている。ところが、回転金具とＰＤＰとの連結は、やはりネジ止め作業が必要になるので、このネジ止め作業に伴なった着脱作業の遅延化など、前述のような多くの不都合は未だ解消されていない。
【００１０】
そこで本発明は上述の課題を解消すべく創出されたもので、薄型ディスプレイの着脱が極めて簡単且つ確実に行うことができ、しかも、薄型ディスプレイの支持角度の調整や、取付け位置を調整する作業も容易に行える薄型ディスプレイ用天井吊り装置の提供を目的とするものである。
【課題を解決するための手段】
【００１１】
本発明の第１の手段は、天井面に固定する天井固定体１０と、該天井固定体１０に着脱自在に垂設される支柱１と、支柱１の下端部に装着されるクランプ体２０とを設け、一方、クランプ体２０の後面がわに装着する固定枠３０に対し、クランプ体２０の前面がわに装着する取付枠４０を俯角角度調整自在に設けると共に、薄型ディスプレイの背面に予め装着した装着枠体５０を前記取付枠４０に着脱自在に連結することにある。
【００１２】
第２の手段における前記クランプ体２０は、前記支柱１の下端部に設けた係止具２の上部に係止する係止環２１と、該係止環２１から高さ調整ねじ２２を介して支持され前記支柱１が貫通する枠体２３とを有し、該枠体２３の側面から支柱１方向に押圧付勢する固定ボルト２４で支柱１に固定されている。
【００１３】
第３の手段における前記固定枠３０は、前記支柱１が貫通する天板３１と、該天板３１に設けられる背面板３２及び側板３３と、前記クランプ体２０の枠体２３に固定する固定具３４とを有し、前記取付枠４０を角度調整自在にネジ止めするネジ孔を側板３３に設けている。
【００１４】
第４の手段における前記取付枠４０は、前記固定枠３０の側板３３に重合する側板４１と、該側板４１に設けられた前面板４２と、該前面板４２の左右に一対設けられた支持杆４３とを有し、側板４１に設けた角度調整ネジ４１Ａにて装着枠４０の俯角角度を自在に調整するように設けると共に、前記装着枠体５０の上部に設けた上部係止ピン５３を係止する係止凹部４３Ｂと、装着枠体５０の下部に設けた下部係止ピン５４を固定する固定具４４とを支持杆４３に設けている。
【００１５】
第５の手段における前記装着枠体５０は、薄型ディスプレイの背面にネジ止めする枠体５１と、前記取付枠４０の支持杆４３に重合する重合杆５２とを有し、前記支持杆４３の係止凹部４３Ｂに係止する上部係止ピン５３と、前記支持杆４３に設けた固定具４４にて固定される下部係止ピン５４とを重合杆５３に設けたことを課題解消のための手段とする。
【発明の効果】
【００１６】
本発明の請求項１により、天井面に固定する天井固定体１０と、該天井固定体１０に着脱自在に垂設される支柱１と、支柱１の下端部に装着されるクランプ体２０とを設け、一方、クランプ体２０の後面がわに装着する固定枠３０とクランプ体２０の前面がわに装着する取付枠４０とを設け、薄型ディスプレイの背面に予め装着した装着枠体５０を前記取付枠４０に着脱自在に連結するので、薄型ディスプレイの着脱が極めて簡単且つ確実に行うことができるものである。
【００１７】
また、請求項２乃至５に記載のクランプ体２０、固定枠３０、取付枠４０、装着枠体５０により、薄型ディスプレイの俯角角度の調整や、取付け位置の高さ調整作業も極めて容易に行えるものである。
【００１８】
このように、本発明によると、薄型ディスプレイの着脱が極めて簡単且つ確実に行うことができ、しかも、薄型ディスプレイの角度調整や、高さ調整等も容易に行えるなどといった優れた効果を奏するものである。
【発明を実施するための最良の形態】
【００１９】
本発明の最良の形態は、天井面に固定する天井固定体１０と、該天井固定体１０に着脱自在に垂設される支柱１と、支柱１の下端部に装着されるクランプ体２０とを設ける。一方、クランプ体２０の後面がわに装着する固定枠３０に対し、クランプ体２０の前面がわに装着する取付枠４０を俯角角度調整自在に設ける。薄型ディスプレイの背面に予め装着した装着枠体５０を前記取付枠４０に着脱自在に連結する。クランプ体２０は、前記支柱１の下端部に設けた係止具２の上部に係止され、枠体２３の側面から支柱１に方向に押圧付勢する固定ボルト２４で支柱１に固定される。固定枠３０及び取付枠４０により、装着枠４０の俯角角度調整を自在に調整するように設ける。この取付枠４０に、薄型ディスプレイの背面にネジ止めした装着枠体５０を着脱自在に装着することで、当初の目的を達成するものである。
【実施例】
【００２０】
本発明吊り装置の基本構成は、支柱１、天井固定体１０、クランプ体２０、固定枠３０、取付枠４０、装着枠体５０からなるものである。
【００２１】
天井固定体１０は、天井面に固定する部材であり、天井面にネジ止めする固定盤１１と該係止環１１の下面に垂直に固定した吊下管１２とを有している（図１参照）。この吊下管１２の側面には、高さ調整孔１２Ａが複数個開穿されている。そして、吊下管１２の内部に挿入する支柱１の高さ調整孔１Ａと、この高さ調整孔１２Ａとの位置を合わせ、高さ調整ピン３を貫通することで、支柱１を高さ調整自在に連結するものである。
【００２２】
クランプ体２０は、支柱１の下端部に装着される部材である（図１乃至図３参照）。このクランプ体２０は、支柱１を貫通させて支柱１の下端部に設けた係止具２の上に係止する係止環２１と、該係止環２１から高さ調整ねじ２２を介して支持される枠体２３とを有している。枠体２３は支柱１が貫通し、一方、高さ調整ねじ２２は、係止環２１の左右に一対設けている。そして、この高さ調整ねじ２２によって係止環２１から枠体２３までの傾きや高さを調整するものである（図１参照）。また、図示の係止具２は、Ｃリング状を成すもので、支柱１の下端部に設けた係止溝部にこの係止具２を嵌合し、係止具２上の係止環２１が抜け落ちないようにしている（図２、図３参照）。
【００２３】
更に、枠体２３の背面側から支柱１方向に押圧付勢する固定ボルト２４を設け、該固定ボルト２４でクランプ体２０を支柱１に固定している（図２参照）。図示例では、枠体２３内部に保護筒２５を設け、支柱１に外装している（図１参照）。そして、この保護筒２５の側面を固定ボルト２４が押圧固定することで、支柱１側面に傷を付けずにクランプ体２０を固定できるようにしている。
【００２４】
固定枠３０は、クランプ体２０の後面がわに装着する（図４乃至図６参照）。この固定枠３０は、支柱１を挿通せしめる柱挿通孔３１Ａを開穿した天板３１と（図４（ハ）参照）、該天板３１に設けられる背面板３２及び側板３３と、前記クランプ体２０の枠体２３に固定する固定具３４とを有している（図５参照）。図示の固定具３４は枠体２３の左右側面と天板３１とにネジ止め固定する略Ｌ型金具を使用している。
【００２５】
また、固定枠３０の強度を高めるために、底板３５を設けると共に、天板３１と底板３５との前面に補強片３１Ｂ，３５Ａを屈曲延長している（図４（イ）参照）。更に、固定枠３０とクランプ体２０とを固定するために、背面板３２に設けた固定ボルト３６をクランプ体２０の枠体２３に固定する（図６参照）。そして、後述する取付枠４０を角度調整自在にネジ止めするネジ孔を側板３３に設けている（図４（ロ）参照）。このネジ孔は、上部ネジ孔３３Ａ、中部ネジ孔３３Ｂ、下部ネジ孔３３Ｃの３種類が左右の側板３３に設けられており、これらのネジ孔を利用して後述する取付枠４０を俯角角度調整自在に連結するものである。
【００２６】
取付枠４０は、クランプ体２０の前面がわに装着する部材であり、前記固定枠３０に俯角角度調整自在に連結すると共に、予め薄型ディスプレイの背面に装着した装着枠体５０を、この取付枠４０に着脱自在に連結するものである（図７、図８参照）。この取付枠４０には、前記固定枠３０の側板３３に重合せしめる側板４１と、該側板４１に設けられた前面板４２と、該前面板４２の前面左右に一対設けられた支持杆４３とを設けている（図７参照）。
【００２７】
そして、側板４１に設けた角度調整ネジ４１Ａにて装着枠４０の俯角角度調整を調整する（図８参照）。この角度調整ネジ４１Ａは、側板４１に間隔を空けて複数個開穿した角度調整孔４１Ｂと、前記固定枠３０の側板３３に開穿した上部ネジ孔３３Ａとの位置を合わせて角度調整ネジ４１Ａを挿通することで、取付枠４０の角度を調整するものである。
【００２８】
また、角度調整孔４１Ｂの下方に長孔状の補助孔４１Ｃと、この補助孔４１Ｃから固定枠３０の側板３３に設けた中部ネジ孔３３Ｂにネジ止めする補助ボルト４１Ｄとを設けている（図８参照）。これら補助孔４１Ｃ及び補助ボルト４１Ｄは、前記角度調整ネジ４１Ａにて取付枠４０の角度を調整する間、取付枠４０を補助的に支持するものである。
【００２９】
更に、側板４１の下部に、該側板４１を貫通し、前記固定枠３０の側板３３に設けた下部ネジ孔３３Ｃに挿通する固定ネジ４１Ｃを設けてあり、この固定ネジ４１Ｃを支点として取付枠４０の上部を揺動し、俯角角度を調整する（図８参照）。
【００３０】
一方、前面板４２の前面左右に一対設けられた支持杆４３には、前記装着枠体５０に設けた上部係止ピン５３を係止する係止凹部４３Ｂと（図８参照）、装着枠体５０に設けた下部係止ピン５４を固定する固定具４４とを設けている（図７参照）。この支持杆４３は、鉛直方向に延びる帯状を成し、支持杆４３の長手両側縁に側板４３Ａを屈曲延長したもので、側板４３Ａの上端部に係止凹部４３Ｂを設け、前記上部係止ピン５３を係止せしめるようにしている。また、側板４３Ａの下部前面側に差込凹部４３Ｃを設けると共に、この凹部４３Ｃの下部に、固定具４４を装着している。そして、前記下部係止ピン５４をこれら凹部４３Ｃと固定具４４とにて着脱自在に固定するものである。
【００３１】
図７に示す固定具４４は、スプリング（図示せず）の付勢力にて、常に上方へ押圧付勢される係止部４４Ａと、係止状態の係止部４４Ａを解除する際に、該係止部４４Ａを下方に引き下げる解除具４４Ｂとを備えたものである。そして、下部係止ピン５４を凹部４３Ｃに差し込むと、係止部４４Ａが下方に押圧されて係止部４４Ａが開放され、下部係止ピン５４が凹部４３Ｃの奥まで侵入した位置で再び係止部４４Ａがスプリングの作用で上方へ押圧付勢され、下部係止ピン５４をロック状態にする。このロック状態を解除する際は、前記解除具４４Ｂを下方に引き下げて係止部４４Ａを開放し、凹部４３Ｃから下部係止ピン５４を抜き出すものである。
【００３２】
装着枠体５０は、予め薄型ディスプレイの背面に装着する部材である（図９及び図１０参照）。この装着枠体５０には、薄型ディスプレイの背面にネジ止めする枠体５１と、前記取付枠４０の支持杆４３に重合する重合杆５２とを設けている（図９（イ）参照）。この重合杆５２は、支持杆４３と同様に、鉛直方向に延びる帯状を成し、長手両側縁に側板５２Ａを屈曲延長している。この側板５２Ａに、上部係止ピン５３と下部係止ピン５４とを設け、前記支持杆４３の係止凹部４３Ａと差込凹部４３Ｃとに係止し挿入する（図１０（イ）参照）。図示例の上部係止ピン５３と下部係止ピン５４とは、側板５２Ａを横に貫通するボルトを使用している（図９（ロ）参照）。また、図中、符号５５は挿入ガイドであり、この挿入ガイド５５を支持杆４３の側板４３Ａ間に挿入することで、上部係止ピン５３や下部係止ピン５４の装着作業を容易にすることができる（図９（ハ）参照）。
【００３３】
本発明吊り装置の装着方法は次の通りである。まず、天井面に天井固定体１０を固定しておく。次に、天井固定体１０に連結する前の支柱１の下端部にクランプ体２０と固定枠３０と取付枠４０とを装着し固定する（図７参照）。この状態で支柱１を天井固定体１０の吊下管１２に連結し、吊下げ高さを調整する。この位置で、取付枠４０の俯角角度を調整し（図８参照）、最後に薄型ディスプレイ（図示せず）の裏面に固定した装着枠体５０を取付枠４０に装着固定して完了する（図１０参照）。
【００３４】
尚、本発明における図示例の各構成は、本発明の一実施例に過ぎず、各構成部材の形状、寸法等の設計変更、形態の変更など、現在知られている技術範囲で自由に変更することができるものである。
【図面の簡単な説明】
【００３５】
【図１】本発明における天井固定体とクランプ体との一実施例を示す正面図である。
【図２】本発明における天井固定体とクランプ体と一実施例を示す側面図である。
【図３】本発明における天井固定体とクランプ体と一実施例を示す底面図である。
【図４】本発明の固定枠を装着した状態を示し、（イ）は正面図、（ロ）は側面図、（ハ）は固定枠の平面図である。
【図５】本発明の固定枠における固定具を示す正面図である。
【図６】本発明の固定枠を示す背面図である。
【図７】本発明における取付枠を装着した状態を示す正面図である。
【図８】本発明における取付枠を装着した状態を示す側面図である。
【図９】本発明における装着枠体を示し、（イ）は背面図、（ロ）は側面図、（ハ）は底面図である。
【図１０】本発明における装着枠体を取付枠に装着した状態を示し、（イ）は正面図、（ロ）は側面図である。
【符号の説明】
【００３６】
１  支柱
２  係止具
３  高さ調整ピン
１０  天井固定体
１１  固定盤
１２  吊下管        １２Ａ  高さ調整孔
２０  クランプ体
２１  係止環
２２  高さ調整ねじ
２３  枠体
２４  固定ボルト
２５  保護筒
３０  固定枠
３１  天板            ３１Ａ  柱挿通孔
３１Ｂ  補強片
３２  背面板
３３  側板
３４  固定具
３５  底板            ３５Ａ  補強片
３６  固定ボルト
４０  取付枠
４１  側板            ４１Ａ  角度調整ネジ
４１Ｂ  角度調整孔
４１Ｃ  補助孔
４１Ｄ  補助ボルト
４２  前面板
４３  支持杆          ４３Ａ  側板
４３Ｂ  係止凹部
４３Ｃ  差込凹部
４４  固定具          ４４Ａ  係止部
４４Ｂ  解除具
４５  底板
５０  装着枠体
５１  枠体
５２  重合杆          ５２Ａ  側板
５３  上部係止ピン
５４  下部係止ピン
５５  挿入ガイド
【図１】
2006053211.tif 000003
【図２】
2006053211.tif 000004
【図３】
2006053211.tif 000005
【図４】
2006053211.tif 000006
【図５】
2006053211.tif 000007
【図６】
2006053211.tif 000008
【図７】
2006053211.tif 000009
【図８】
2006053211.tif 000010
【図９】
2006053211.tif 000011
【図１０】
2006053211.tif 000012